(57)【要約】【課題】携帯通報端末から非常通報信号を監視センタに送信し、監視センタで緊急非常事態発生位置を把握することができる非常通報システム、その携帯通報端末及び監視センタ装置に関し、非常通報を迅速に監視センタに通知し、かつ無駄なデータ送信を防ぐ。【解決手段】移動体通信網１−２を介して信号を送受する携帯通報端末１−１と監視センタ装置１−３とから成り、携帯通報端末１−１は、非常通報操作が行われたときに、該携帯通報端末の識別情報を含む非常通報信号を監視センタ宛てに送信する。監視センタ装置１−４は、非常通報信号を受信し、該通報が正規の通報者によるものであるか否かを判定し、正規のものである場合に、少なくとも受付け可能の応答信号を携帯通報端末１−１に返送する。携帯通報端末１−１は、監視センタ装置から受付け可能の応答信号を受信した場合に、ＧＰＳによる現在位置測位情報を監視センタ装置１−４に送信する。【選択図】      図１
2004180237.tif 000002
【特許請求の範囲】
【請求項１】
移動体通信網を介して信号を送受する携帯通報端末と監視センタ装置とから成り、携帯通報端末から送信された非常通報信号を監視センタ装置で受信する非常通報システムにおいて、
前記携帯通報端末は、非常通報操作が行われたときに、該携帯通報端末の識別情報を含む非常通報信号を前記監視センタ宛てに送信する手段を備え、
前記監視センタ装置は、該非常通報信号を受信し、該非常通報信号が正規の通報者による受付け可能なものであるか否かを判定し、少なくとも受付け可能である場合には、応答信号を前記携帯通報端末に返送する手段を備え、
前記携帯通報端末は、更に、前記監視センタ装置から受付け可能である旨の応答信号を受信した場合に、携帯通報端末の現在位置測位情報を前記監視センタ装置に送信する手段を備えたことを特徴とする非常通報システム。
【請求項２】
移動体通信網を介して監視センタ装置と信号を送受し、非常通報信号を監視センタ装置に送信する携帯通報端末において、
該携帯通報端末は、非常通報操作が行われたときに、該携帯通報端末の識別情報を含む非常通報信号を前記監視センタ装置宛てに送信する手段と、
前記監視センタ装置から、該非常通報信号に対する受付け可能である旨の応答信号を受信した場合に、携帯通報端末の現在位置測位情報を前記監視センタ装置に送信する手段と、
を備えたことを特徴とする携帯通報端末。
【請求項３】
前記監視センタ装置から、該非常通報信号に対する受付け可能である旨の応答信号を受信した場合に、非常通報受付け完了の旨を表示又は振動により報知する報知部を備えたことを特徴とする請求項２に記載の携帯通報端末。
【請求項４】
前記監視センタ装置から、該非常通報信号に対する受付け可能である旨の応答信号を受信した場合に、威嚇用の大音量鳴動音を放出する可聴音発生部を備えたことを特徴とする請求項２又は３に記載の携帯通報端末。
【請求項５】
移動体通信網を介して携帯通報端末と信号を送受し、携帯通報端末から送信された非常通報信号を受信する監視センタ装置において、
該監視センタ装置は、前記携帯通報端末から送信された該携帯通報端末の識別情報を含む非常通報信号を受信して該非常通報が正規の通報者による受付け可能なものであるか否かを判定し、少なくとも受付け可能である場合には応答信号を前記携帯通報端末に返送する手段と、
前記携帯通報端末に対して受付け可能である旨の応答信号を返送した後に、該携帯通報端末からの現在位置測位情報を受信する手段と、を備えたことを特徴とする監視センタ装置。
【発明の詳細な説明】
【０００１】
【発明の属する技術分野】
本発明は、緊急非常通報サービスの利用者が携帯通報端末を携行し、緊急非常事態に陥った場合に該携帯通報端末を操作し、該携帯通報端末から非常通報信号を監視センタに送信し、監視センタで緊急非常事態発生位置を把握することができる非常通報システム並びにその携帯通報端末及び監視センタ装置に関する。
【０００２】
【従来の技術】
携帯通報端末の現在位置情報を通報する緊急通報システムの一例として、下記の特許文献１に「現在位置通報装置及びシステム」が開示されている。特許文献１に記載の通報装置及びシステムは、緊急通報ボタンが操作されると、全地球測位システム（ＧＰＳ）の人工衛星からの受信信号から測位した現在位置情報を監視センタ宛に送信し、監視センタの監視者は、携帯通報端末の現在位置情報から通報者がどこにいるかを判断し、それを基に救急活動の手配を行うシステムである。
【０００３】
【特許文献１】
特開平８−１８０２８６号公報
【０００４】
【発明が解決しようとする課題】
しかしながら、上記の従来の位置情報通報システムでは、端末位置情報と共に非常通報信号を送信するため、端末位置情報の取得が完了するまで、監視センタへ非常通報信号が送信されず、非常通報信号が監視センタに受信されるまでに遅延時間が生じる。
【０００５】
非常事態発生の通報を位置情報通報システムにより行う場合、一刻も早く通報することが重要である。早期に通報することで、監視側において異常事態発生を覚知し、すばやい対応をとることにより被害の未然防止及び拡大防止が可能となるからである。
【０００６】
また、同一の端末装置を、外部からの問い合わせに対して端末装置の位置情報を応答する目的で使用するなど、契約内容に応じて端末装置の機能を使い分けることがあり、携帯通報端末を用いた非常通報サービスについて、非常通報サービスの契約をしていない者や、非常通報サービスの契約を解約した者等、サービス提供対象外の携帯通報端末を使用して非常通報信号を発した場合でも、該携帯通報端末は現在位置情報を取得すべく動作し、監視センタに現在位置情報を送信し、監視センタでは、それら非常通報信号及び現在位置情報を受信した後に、受付け対象外の非常通報であることが判明する。
【０００７】
位置情報取得のために必要な通信も考慮すると、監視センタに現在位置情報を送信するまでに行われる一連の通信のデータが膨大な量となる場合があり、無駄なデータが送信されて携帯通報端末の利用者には余分な通信コストが発生する恐れがある。また、監視センタの通信システムに余計な負担がかかるおそれがあるといった問題があった。
【０００８】
また、従来の位置情報通報システムでは、非常通報の操作と同時にブザー等による威嚇が開始されるものがある。ところが、威嚇音により携帯通報端末の存在に気付いた犯罪者により携帯通報端末を奪われたり破壊されたりする恐れがあった。
【０００９】
位置情報を取得した後、位置情報とともに通報するタイプの位置情報通報システムの場合、位置情報を取得するまでの間に携帯通報端末を破壊されるなどすると、位置情報を送信できないばかりか非常事態が発生したことさえも通報できないおそれがあった。さらに、携帯通報端末の利用者は、通報が監視センタへ確実に伝えられたことを確認したいという要望があった。
【００１０】
本発明は、非常通報信号を迅速に監視センタに通知することができ、かつ、無駄なデータ送信を防ぎ、また、監視センタの通信システムに余計な負担がかかるのを防ぎ、更に、監視センタで非常通報が受付けられたか否かを、非常通報を発した通報者が確認し得る非常通報システム並びにその携帯通報端末及び監視センタ装置を提供することを目的とする。
【００１１】
【課題を解決するための手段】
本発明の非常通報システムは、（１）移動体通信網を介して信号を送受する携帯通報端末と監視センタ装置とから成り、携帯通報端末から送信された非常通報信号を監視センタ装置で受信する非常通報システムにおいて、前記携帯通報端末は、非常通報操作が行われたときに、該携帯通報端末の識別情報を含む非常通報信号を前記監視センタ宛てに送信する手段を備え、前記監視センタ装置は、該非常通報信号を受信し、該非常通報信号が正規の通報者による受付け可能なものであるか否かを判定し、少なくとも受付け可能である場合には、応答信号を前記携帯通報端末に返送する手段を備え、前記携帯通報端末は、更に、前記監視センタ装置から受付け可能である旨の応答信号を受信した場合に、携帯通報端末の現在位置測位情報を前記監視センタ装置に送信する手段を備えたものである。
【００１２】
また、本発明の携帯通報端末は、（２）移動体通信網を介して監視センタ装置と信号を送受し、非常通報信号を監視センタ装置に送信する携帯通報端末において、該携帯通報端末は、非常通報操作が行われたときに、該携帯通報端末の識別情報を含む非常通報信号を前記監視センタ装置宛てに送信する手段と、前記監視センタ装置から、該非常通報信号に対する受付け可能である旨の応答信号を受信した場合に、携帯通報端末の現在位置測位情報を前記監視センタ装置に送信する手段と、を備えたものである。
【００１３】
また、（３）前記監視センタ装置から、該非常通報信号に対する受付け可能である旨の応答信号を受信した場合に、非常通報受付け完了の旨を表示又は振動により報知する報知部を備えたものである。
また、（４）前記監視センタ装置から、該非常通報信号に対する受付け可能である旨の応答信号を受信した場合に、威嚇用の大音量鳴動音を放出する可聴音発生部を備えたものである。
【００１４】
また、本発明の監視センタ装置は、（５）移動体通信網を介して携帯通報端末と信号を送受し、携帯通報端末から送信された非常通報信号を受信する監視センタ装置において、該監視センタ装置は、前記携帯通報端末から送信された該携帯通報端末の識別情報を含む非常通報信号を受信して該非常通報が正規の通報者による受付け可能なものであるか否かを判定し、少なくとも受付け可能である場合には、応答信号を前記携帯通報端末に返送する手段と、前記携帯通報端末対して受付け可能である旨の応答信号を返送した後に、該携帯通報端末からの現在位置測位情報を受信する手段と、を備えたものである。
【００１５】
【発明の実施の形態】
図１に本発明による非常通報システムの全体構成を示す。同システムは、緊急非常通報サービスの利用者が所持する携帯通報端末１−１と、非常通報を伝達する移動体通信網１−２と、位置情報を中継するセンタサーバ１−３と、非常通報信号を受信して非常通報を受付ける監視センタ装置１−４とから成る。なお、センタサーバ１−３及び監視センタ装置１−４は、それぞれ専用線で接続される。
【００１６】
携帯通報端末１−１は全地球測位システム（ＧＰＳ：Ｇｌｏｂａｌ  Ｐｏｓｉｔｉｏｎｉｎｇ  Ｓｙｓｔｅｍ  ）の人工衛星等からの位置情報信号を受信する機能と、移動体通信網１−２を通してデータ通信（パケット通信）を行う機能とを有し、携帯通報端末１−１の所持者が、携帯通報端末１−１の非常ボタンを押すなどして非常通報操作を行ったときに、センタサーバ１−３を介して警備会社等の監視センタ装置１−４へ非常通報信号を送信する。
【００１７】
監視センタ装置１−４は、携帯通報端末１−１から送信された非常通報信号を受信すると、必要な対応措置、例えば、端末位置情報を確認し、その場所へ警備員を出動させる、或いは携帯通報端末１−１の所持者が携行する携帯電話機又はＰＨＳ電話機等に発呼してどのような非常事態が発生したかを確認するなどといった対応措置を行う。
【００１８】
図２は、本発明の携帯通報端末１−１の構成を示す。携帯通報端末１−１は、ＣＰＵ（Ｃｅｎｔｒａｌ  Ｐｒｏｃｅｓｓｉｎｇ  Ｕｎｉｔ  ）等から構成される基本処理部２−８を備え、基本処理部２−８には、全地球測位システム（ＧＰＳ）の人工衛星からの位置情報信号を受信処理するＧＰＳ部２−７と、移動体通信網１−２とのデータ通信（パケット通信）の処理を行うＰＤＣ（Ｐｅｒｓｏｎａｌ  Ｄｉｇｉｔａｌ  Ｃｅｌｌｕｌａｒ  ｓｙｓｔｅｍ）部２−９と、非常事態発生時に操作される非常ボタン２−２と、電源スイッチ２−３と、発光ダイオード（ＬＥＤ：Ｌｉｇｈｔ  Ｅｍｉｔｔｉｎｇ  Ｄｉｏｄｅ）等による可視表示部２−４と、ブザー等による可聴音発生部２−５と、バッテリ２−１０とが接続される。
【００１９】
ＧＰＳ部２−７には、全地球測位システム（ＧＰＳ）の人工衛星からの位置情報信号を受信するＧＰＳアンテナ２−１が接続され、また、ＰＤＣ部２−９には、移動体通信網１−２との間の無線信号を送受するＰＤＣアンテナ２−６が接続される。
【００２０】
全地球測位システム（ＧＰＳ）の人工衛星から受信した位置情報信号、移動体通信網１−２を介して受信した監視センタ装置１−４からの信号は、基本処理部２−８へ送られ、基本処理部２−８では、所定のシーケンスに従って、携帯通報端末の現在位置情報データを、センタサーバ１−３を介して監視センタ装置１−４に送信する。
【００２１】
非常ボタン２−２は、携帯通報端末１−１の所持者（例えば、女性や子供等）が、不意に襲われたり或いは誘拐されそうになるなど、何らかの緊急非常事態に陥った場合等に操作され、該非常ボタン２−２の操作を基本処理部２−８で検知し、非常通報信号をＰＤＣ部２−９及びＰＤＣアンテナ２−６を介して、監視センタ装置１−４宛てに送信する。
【００２２】
監視センタ装置１−４は、携帯通報端末１−１からの非常通報信号を受信し、該非常通報が、非常通報システムの正規の利用者からの通報か否かを確認し、正規の利用者からの通報であると判定された場合に、非常通報受付け許可の応答信号を該携帯通報端末１−１宛てに送信する。
【００２３】
該携帯通報端末１−１は、監視センタ装置１−４から非常通報受付け許可の応答信号を受信すると、ＬＥＤ等の可視表示部２−４の点滅等により非常通報受付け完了の旨を表示し、また、可聴音発生部２−５により防犯ブザー音のような大音量の威嚇音を一定時間鳴動させる。
【００２４】
その後、携帯通報端末１−１は、全地球測位システム（ＧＰＳ）から位置情報データを取得し、該取得した位置情報データを監視センタ装置１−４宛てに送信する。その後、携帯通報端末１−１は、一定周期毎に現在位置の位置測位を行い、その位置情報データを監視センタ装置１−４宛てに送信する。
【００２５】
監視センタ装置１−４では該位置情報データを受信し、現場に警備員等を出動させるなどの対応措置を講じ、その後、非常事態が解除された場合には、監視センタのオペレータにより、監視センタ装置１−４から該携帯通報端末１−１に対して解除信号を送信する。携帯通報端末１−１は該解除信号の受信により、定常状態に復旧する。
【００２６】
本システムを利用した監視方法について、一実施例を示すと、非常事態発生の通報を受けた監視センタの監視員は、最初の通報信号に含まれる通報者の識別情報を基に、通報者の氏名や携帯電話の番号などの情報を確認し、通報者が所持している携帯電話を呼び出し、安否確認を実施する。この時点では、通報者の位置情報は把握できていないものの、電話による安否確認により状況や大体の位置を聞き出すことが可能である。
【００２７】
安否確認を行っている間に、携帯通報端末において位置情報が取得され、監視センタに送信されることになる。従って、監視員は安否確認の電話により情況を確認しておき、正確な位置情報を把握できた時点で、警備員に対して的確な出動の指示を出すことができる。監視センタでは、最初の通報を受信した時点で対応を開始することができ、位置情報が取得されてから通報が行われる場合と比較して、迅速に対処することができ、被害の未然防止及び拡大防止が可能となる。
【００２８】
以上のように、最初の通報時に位置情報が含まれていなくても、一次対応を行い、監視システムとしての最低限の役割を果たすことができ、その後、携帯通報端末から送信される位置情報を基に、的確な出動指示を出すことができるようになる。
【００２９】
なお、本システムが利用される場面の多くは、深夜、駅から自宅までの帰り道において、不審者に遭遇した場合の通報であり、通報者が特定の区域にいる可能性が高い。従って、位置情報の取得に時間がかかった場合や位置情報を取得できなかった場合でも、警備員をその特定の区域に派遣して捜索に当たらせるなど、何らかの対処は可能であり、最初の通報が確実に行われることの重要性は高い。
【００３０】
次に、威嚇音鳴動のタイミングについて説明する。監視センタとの一連の通信にかかる時間を短縮することができれば、威嚇音を鳴らすタイミングを応答信号受信時ではなく、位置情報送信時としてもよい。位置情報送信に対する監視センタからの応答信号に基づいて威嚇音を鳴動させる。位置情報送信時とした場合、威嚇音の鳴動で携帯通報端末の存在に気付いた不審者等に携帯通報端末を奪われたり破壊されたりしても、位置情報送信後であり、事件の発生現場を知らせることができる。なお、威嚇音を鳴動させるか又はさせないかを、利用者が適宜選択することができるようにしてもよい。
【００３１】
威嚇音を鳴動させる場合であれば、威嚇音の鳴動により監視センタヘの通報が完了したことを知ることができるが、威嚇音の鳴動なしの場合、可視表示部２−４の表示を見なければ確認することができない。非常時においては、携帯通報端末の表示を確認するだけの余裕があるとは限らない。
【００３２】
そこで、バイブレータ機能（図示省略）を携帯通報端末１−１に設け、監視センタからの応答信号を受信したときに、バイブレータを振動させる。これにより、携帯通報端末１−１の表示を確認することができない場合でも、監視センタヘの通報が行われたことをバイブレータの振動により知ることができる。
【００３３】
次に、位置情報の取得手段をついて説明すると、本システムは屋外においても使用されるものであるから、ＧＰＳを利用して位置情報を取得するのが一般的であるが、携帯電話の基地局（  又はセル）  を利用した位置情報提供サービス等を利用して位置情報を取得するようにしてもよい。
【００３４】
あるいは、双方の手段を利用し、一方の手段で位置情報を取得することができなかった場合に、他方の手段を利用して位置情報を取得したり、双方の手段を利用して取得された位置情報を総合的に判断して位置情報を取得するようにしてもよい。このようにして得られた位置情報を監視センタに送信することになる。
【００３５】
図３に本発明による非常事態発生時の動作シーケンスを示す。緊急非常通報サービスの利用者は、常時、携帯通報端末１−１を所持し、何らかの非常事態が発生すると、該携帯通報端末１−１の非常ボタン２−２を押下する。携帯通報端末１−１は、非常ボタン２−２の押下により、該携帯通報端末１−１の識別情報を含む非常通報信号を、監視センタ装置１−４宛てに送信する。
【００３６】
携帯通報端末１−１からの非常通報信号は、センタサーバ１−３を経由して監視センタ装置１−４に配信され、監視センタ装置１−４は、非常通報信号を受信すると、緊急非常通報サービス利用契約者情報のデータベースを参照し、該非常通報信号を発した携帯通報端末１−１の識別情報が、正規の緊急非常通報サービス契約者のものかどうかをチェックし、正規の緊急非常通報サービス契約者のものであれば、受付け許可の応答信号を、正規の緊急非常通報サービス契約者のものでなければ、受付け不可の応答信号を返送する。
【００３７】
携帯通報端末１−１は、監視センタ装置１−４からの応答信号を受信すると、該応答信号が受付け許可のものであれば、非常モードへ遷移し、ＧＰＳ部２−７により現在位置測位を行い、可視表示部２−４により非常通報受付け完了の状態を表示し、また、可聴音発生部２−５により大音量の威嚇音を鳴動させ、現在位置情報を監視センタ装置１−４宛に送信する。
【００３８】
なお、監視センタ装置１−４からの応答信号が、受付け不可の応答信号である場合は、携帯通報端末１−１は、全地球測位システム（ＧＰＳ）からの位置情報データによる現在位置の測位を行うことなく、従って監視センタ装置１−４へ現在位置情報データを送信することなく、非常通報動作を停止する。
【００３９】
監視センタ装置１−４は、携帯通報端末１−１から現在位置情報データを受信し、該位置情報データを基に、非常発生の現場へ警備員を出動させるなど必要な対応措置を取る。その後、携帯通報端末１−１は、定期的に現在位置の位置測位を行い、その位置情報データを監視センタ装置１−４宛てに送信する。
【００４０】
図４は本発明による非常モード解除時の動作シーケンスを示す。監視センタ装置１−４において、現場警備員からの報告などにより、非常状態の解除を確認すると、監視センタ装置１−４から非常モードの解除信号を携帯通報端末１−１に送信する。
【００４１】
該解除信号は、センタサーバ１−３を経由して携帯通報端末１−１に配信され、携帯通報端末１−１は、該解除信号を受信すると、定常状態の待機モードへ遷移し、ＧＰＳ部２−７による現在位置測位の動作を終了し、可視表示部２−４の非常状態の表示を停止する。
【００４２】
次に、携帯通報端末１−１が、位置補正情報「有効」／「無効」、位置履歴情報「有り」／「無し」の場合の、非常事態発生時の動作シーケンスについて説明する。
【００４３】
ここで、位置補正情報「有効」とは、測位の際に利用可能な位置補正情報が携帯通報端末１−１の側に存在することを示す。位置補正情報「無効」とは、携帯通報端末１−１に位置補正情報が存在しない、あるいは時間経過により位置補正情報が無効である状態を示す。
【００４４】
位置履歴情報「有り」とは、所定時間以内（例えば１０分以内）に取得された位置情報が携帯通報端末１−１に存在することを示す。位置履歴情報「無し」とは、携帯通報端末１−１に位置情報が存在しない、あるいは位置情報を取得してから所定時間以上経過した状態を示す。
【００４５】
図５は、位置補正情報「無効」、位置履歴情報「無し」の場合の動作シーケンスを示す。携帯通報端末１−１は、非常ボタン２−２の押下により、該携帯通報端末１−１の識別情報と位置補正情報の要求信号を含む非常通報信号を、監視センタ装置１−４宛てに送信する。
【００４６】
携帯通報端末１−１からの非常通報信号は、センタサーバ１−３を経由して監視センタ装置１−４に配信され、監視センタ装置１−４は、位置補正情報の要求信号を含む非常通報信号を受信すると、緊急非常通報サービス利用契約者情報のデータベースを参照し、該非常通報信号を発した携帯通報端末１−１の識別情報が、正規の緊急非常通報サービス契約者のものかどうかをチェックし、正規の緊急非常通報サービス契約者のものであれば、位置補正情報を付加して受付け許可の応答信号を、正規の緊急非常通報サービス契約者のものでなければ、受付け不可の応答信号を返送する。以降のシーケンスは、図３に示したものと同様である。
【００４７】
図６は、位置補正情報「有効」、位置履歴情報「無し」の場合の動作シーケンスを示す。携帯通報端末１−１は、非常ボタン２−２の押下により、該携帯通報端末１−１の識別情報を含む非常通報信号を、監視センタ装置１−４宛てに送信する。該非常通報信号の送信後、携帯通報端末１−１は、位置情報取得動作を開始する。携帯通報端末１−１からの非常通報信号は、センタサーバ１−３を経由して監視センタ装置１−４に配信され、監視センタ装置１−４は非常通報信号を受信する。以降のシーケンスは、図３に示したものと同様である。
【００４８】
図７は、位置補正情報「無効」、位置履歴情報「有り」の場合の動作シーケンスを示す。携帯通報端末１−１は、非常ボタン２−２の押下により、該携帯通報端末１−１の識別情報と位置補正情報の要求信号を含む非常通報信号を、監視センタ装置１−４宛てに送信する。
【００４９】
携帯通報端末１−１からの非常通報信号は、センタサーバ１−３を経由して監視センタ装置１−４に配信され、監視センタ装置１−４は、位置補正情報の要求信号を含む非常通報信号を受信すると、緊急非常通報サービス利用契約者情報のデータベースを参照し、該非常通報信号を発した携帯通報端末１−１の識別情報が、正規の緊急非常通報サービス契約者のものかどうかをチェックし、正規の緊急非常通報サービス契約者のものであれば、位置補正情報を付加して受付け許可の応答信号を、正規の緊急非常通報サービス契約者のものでなければ、受付け不可の応答信号を返送する。
【００５０】
携帯通報端末１−１は、監視センタ装置１−４からの応答信号を受信すると、該応答信号が受付け許可のものであれば、非常モードへ遷移し、位置履歴情報を監視センタ装置１−４宛に送信する。そして、ＧＰＳ部２−７により現在位置測位を行い、可視表示部２−４により非常通報受付け完了の状態を表示し、また、可聴音発生部２−５により大音量の威嚇音を鳴動させ、現在位置情報を監視センタ装置１−４宛に送信する。以降のシーケンスは、図３に示したものと同様である。
【００５１】
図８は、位置補正情報「有効」、位置履歴情報「有り」の場合の動作シーケンスを示す。携帯通報端末１−１は、非常ボタン２−２の押下により、該携帯通報端末１−１の識別情報を含む非常通報信号を、監視センタ装置１−４宛てに送信する。該非常通報信号の送信後、携帯通報端末１−１は、位置情報取得動作を開始する。携帯通報端末１−１からの非常通報信号は、センタサーバ１−３を経由して監視センタ装置１−４に配信され、監視センタ装置１−４は非常通報信号を受信する。
【００５２】
監視センタ装置１−４は、非常通報信号を受信すると、緊急非常通報サービス利用契約者情報のデータベースを参照し、該非常通報信号を発した携帯通報端末１−１の識別情報が、正規の緊急非常通報サービス契約者のものかどうかをチェックし、正規の緊急非常通報サービス契約者のものであれば、受付け許可の応答信号を、正規の緊急非常通報サービス契約者のものでなければ、受付け不可の応答信号を返送する。
【００５３】
携帯通報端末１−１は、監視センタ装置１−４からの応答信号を受信すると、該応答信号が受付け許可のものであれば、非常モードへ遷移し、位置履歴情報を監視センタ装置１−４宛に送信する。そして、ＧＰＳ部２−７により現在位置測位を行い、可視表示部２−４により非常通報受付け完了の状態を表示し、また、可聴音発生部２−５により大音量の威嚇音を鳴動させ、現在位置情報を監視センタ装置１−４宛に送信する。以降のシーケンスは、図３に示したものと同様である。
【００５４】
このように、無駄なデータ通信量を極力抑えるため、非常ボタン２−２押下時、携帯通報端末１−１に位置補正情報が無い場合にその要求信号を出力するようにし、また、監視センタからの受付け許可を示す応答信号を受信した場合に位置履歴情報や位置情報を出力するようにする。監視センタでは、受付許可の応答信号を出力する際、携帯通報端末から位置補正情報の要求があったとき、位置補正情報を付加して送信する。他はシーケンスチャートで示す通りである。
【００５５】
【発明の効果】
以上説明したように、本発明によれば、携帯通報端末で非常通報操作が行われた場合、該携帯通報端末から、該携帯通報端末の識別情報を含む非常通報信号を先ず送信し、全地球測位システム（ＧＰＳ）による現在位置情報は、該現在位置情報を取得した時点で後から監視センタ装置１−４に送信することにより、非常通報信号だけを迅速に監視センタ装置に通知することができる。
【００５６】
また、監視センタ装置では、携帯通報端末からの端末識別情報を含む非常通報信号を受信したとき、緊急通報サービス利用契約者のデータベースを参照し、受付け不可の携帯通報端末からの非常通報である場合は、受付け不可の応答信号を返送し、受付け不可の応答信号を受信した携帯通報端末は、現在位置の測位を行わず、監視センタ装置へ現在位置情報データを送信することなく、非常通報動作を停止することにより、無駄な送信データの発生を防ぐことができ、通信コストを抑制し、また、監視センタの通信システムに余計な負担をかけるのを防ぐことができる。
【００５７】
また、通報者は、監視センタ装置で非常通報信号が受信され、その受付けが完了したことを、携帯通報端末の可視表示部の点滅等やバイブレータの振動等により確認し、また、監視センタ装置への非常通報信号受付け完了後に、可聴音発生部による威嚇等の鳴動音を放出することにより襲撃者等をたじろがせ、被害を未然に防ぎ或いはその拡大を最小限に抑えることが可能となる。
【００５８】
なお、威嚇等の鳴動音の放出により、携帯通報端末の存在に気付いた襲撃者等が、携帯通報端末を取り上げたり破壊した場合でも、非常通報信号は既に監視センタ装置で受信完了し、端末位置情報も直ちに監視センタ装置に送信されているため、監視センタでは非常事態発生現場を把握し、必要な対応措置を講ずることが可能となる。
【図面の簡単な説明】
【図１】本発明による非常通報システムの全体構成を示す図である。
【図２】本発明の携帯通報端末の構成を示す図である。
【図３】本発明による非常事態発生時の動作シーケンスを示す図である。
【図４】本発明による非常モード解除時の動作シーケンスを示す図である。
【図５】携帯通報端末が、位置補正情報「無効」、位置履歴情報「無し」の場合の動作シーケンスを示す図である。
【図６】携帯通報端末が、位置補正情報「有効」、位置履歴情報「無し」の場合の動作シーケンスを示す図である。
【図７】携帯通報端末が、位置補正情報「無効」、位置履歴情報「有り」の場合の動作シーケンスを示す図である。
【図８】携帯通報端末が、位置補正情報「有効」、位置履歴情報「有り」の場合の動作シーケンスを示す図である。
【符号の説明】
１−１  携帯通報端末
１−２  移動体通信網
１−３  センタサーバ
１−４  監視センタ装置
【図１】
2004180237.tif 000003
【図２】
2004180237.tif 000004
【図３】
2004180237.tif 000005
【図４】
2004180237.tif 000006
【図５】
2004180237.tif 000007
【図６】
2004180237.tif 000008
【図７】
2004180237.tif 000009
【図８】
2004180237.tif 000010